(57)【要約】【課題】仮眠を支援し、光刺激により人を仮眠から快適に目覚めさせることに適した睡眠支援システムを提供する。【解決手段】睡眠支援システム１００は、ユーザの頭部１１を支持する頭部支持部１１０と、頭部支持部１１０によりユーザの頭部１１を所定姿勢に支持する所定支持状態が生じたか否かを検知するセンサ（例えば接触センサ１２０）と、光源１３１を有し、そのセンサにより所定支持状態が生じたことが検知されてから所定時間（睡眠時間）が経過した際に、所定支持状態におけるユーザの視界内への照明を行う照明部１３０とを備える。【選択図】図３
2018038685.tif 000002
【特許請求の範囲】
【請求項１】
ユーザの頭部を支持する頭部支持部と、
前記頭部支持部により前記頭部を所定姿勢に支持する所定支持状態が生じたか否かを検知するセンサと、
光源を有し、前記センサにより前記所定支持状態が生じたことが検知されてから所定時間が経過した際に、前記所定支持状態における前記ユーザの視界内への照明を行う照明部とを備える
睡眠支援システム。
【請求項２】
前記センサは、前記頭部支持部における前記所定支持状態で前記頭部と接触する位置に付着し、前記頭部と接触したか否かを検知する接触センサであり、前記頭部が接触した場合に前記所定支持状態が生じたと検知する
請求項１記載の睡眠支援システム。
【請求項３】
前記所定姿勢は、前記ユーザの鼻を前記頭部の中心から鉛直下方に向けた姿勢であり、
前記頭部支持部は、前記所定支持状態において前記頭部の鼻及び目の鉛直下方に空隙を設ける孔部又は凹部を有し、前記孔部又は前記凹部の周りを囲み前記所定支持状態において前記頭部の鼻及び目の周りの領域に当接する環部を有する
請求項１又は２記載の睡眠支援システム。
【請求項４】
前記照明部は前記所定支持状態において前記目の鉛直下方に当該目と前記空隙を隔てて対向する位置であって前記頭部支持部の前記環部に囲まれた位置に配置されている
請求項３記載の睡眠支援システム。
【請求項５】
前記睡眠支援システムは更に、入力される前記所定時間を取得する睡眠時間取得部を備え、
前記照明部は、前記睡眠時間取得部で取得された前記所定時間が、前記所定支持状態が生じたことが検知されてから経過した際に、前記照明を行う
請求項１〜４のいずれか一項に記載の睡眠支援システム。
【請求項６】
前記照明部は、前記所定支持状態が生じたことが検知されてから前記所定時間が経過するまでの間において、前記所定支持状態が生じていないと検知された連続時間の長さが所定閾値を超えた場合には当該所定時間の経過の際における前記照明を抑止する
請求項１〜５のいずれか一項に記載の睡眠支援システム。
【請求項７】
前記睡眠支援システムは更に、入力される前記照明についての継続時間を取得する照明継続時間取得部を備え、
前記照明部は、前記所定支持状態が生じたことが検知されてから前記所定時間の経過に際して前記照明を開始した後に、前記照明継続時間取得部により取得された継続時間が経過するまで前記照明を継続し、当該継続時間が経過した際に前記照明を終了する
請求項１〜６のいずれか一項に記載の睡眠支援システム。
【請求項８】
前記照明部は、前記所定支持状態が生じたことが検知されてから前記所定時間が経過した際に、前記光源の輝度をゼロから次第に増加させて最大輝度にすることで前記照明を行う
請求項１〜７のいずれか一項に記載の睡眠支援システム。
【請求項９】
前記照明部は、前記所定支持状態が生じたことが検知されてから前記所定時間が経過した際に１分以上連続して、２千ルクス以上の照度となるように前記照明を行う
請求項１〜６のいずれか一項に記載の睡眠支援システム。
【請求項１０】
前記照明部は、前記所定支持状態が生じたことが検知されてから前記所定時間が経過した後において、前記所定支持状態が生じていないと検知された場合には前記光源を消灯状態にすることで前記照明を終了する
請求項１〜６のいずれか一項に記載の睡眠支援システム。
【請求項１１】
前記睡眠支援システムは更に、前記照明部による照明に係る調光度を示す、入力される調光情報を取得する調光情報取得部を備え、
前記照明部は、前記所定支持状態が生じたことが検知されてから前記所定時間が経過した際に、前記調光情報に基づいて前記照明を行う
請求項１〜１０のいずれか一項に記載の睡眠支援システム。
【請求項１２】
前記照明部は、前記所定支持状態が生じたことが検知された際に、前記所定支持状態における前記ユーザの視界内を照明してから前記光源の輝度を次第に減少させてゼロにする消灯制御を行う
請求項１〜１１のいずれか一項に記載の睡眠支援システム。
【請求項１３】
前記睡眠支援システムは更に、前記消灯制御についての、入力される消灯制御時間を取得する消灯制御時間取得部を備え、
前記照明部は、前記消灯制御時間取得部により取得された消灯制御時間に亘って前記消灯制御を行う
請求項１２記載の睡眠支援システム。
【請求項１４】
前記睡眠支援システムは更に、前記所定支持状態が生じたことが検知された際に香りを発生するアロマ発生部を備える
請求項１〜１３のいずれか一項に記載の睡眠支援システム。
【請求項１５】
前記睡眠支援システムは更に、前記所定支持状態が生じたことが検知されてから前記所定時間が経過した際に、前記所定支持状態における前記頭部に向けて送風する送風部を備える
請求項１〜１４のいずれか一項に記載の睡眠支援システム。
【請求項１６】
前記睡眠支援システムは更に、入力される前記送風部による送風についての送風継続時間を取得する送風継続時間取得部を備え、
前記送風部は、前記所定支持状態が生じたことが検知されてから前記所定時間の経過に際して前記送風を開始した後に、前記送風継続時間取得部により取得された送風継続時間が経過するまで前記送風を継続し、当該送風継続時間が経過した際に前記送風を終了する
請求項１５記載の睡眠支援システム。
【請求項１７】
前記睡眠支援システムは更に、入力される前記送風部による送風についての送風温度を取得する送風温度取得部を備え、
前記送風部は、送風される空気を加熱するヒーターを有し、前記送風温度取得部により取得された送風温度となった空気が送風されるように前記ヒーターを制御する
請求項１５又は１６記載の睡眠支援システム。
【請求項１８】
前記睡眠支援システムは更に、前記所定支持状態が生じたことが検知されてから前記所定時間が経過した際に前記頭部支持部を揺らすように振動する振動部を備える
請求項１〜１７のいずれか一項に記載の睡眠支援システム。
【請求項１９】
前記睡眠支援システムは更に、入力される前記振動部による振動についての振動時間を取得する振動時間取得部を備え、
前記振動部は、前記所定支持状態が生じたことが検知されてから前記所定時間の経過に際して前記振動を開始した後に、前記振動時間取得部により取得された振動時間が経過するまで前記振動を継続し、当該振動時間が経過した際に前記振動を終了する
請求項１８記載の睡眠支援システム。
【請求項２０】
前記睡眠支援システムは更に、前記所定支持状態が生じたことが検知されてから前記所定時間が経過した際に音を発生する音発生部を備える
請求項１〜１９のいずれか一項に記載の睡眠支援システム。
【請求項２１】
前記睡眠支援システムは更に、入力される前記音発生部による音の発生についての音継続時間を取得する音継続時間取得部を備え、
前記音発生部は、前記所定支持状態が生じたことが検知されてから前記所定時間の経過に際して前記音の発生を開始した後に、前記音継続時間取得部により取得された音継続時間が経過するまで前記音の発生を継続し、当該音継続時間が経過した際に前記音の発生を終了する
請求項２０記載の睡眠支援システム。
【請求項２２】
前記頭部支持部における前記所定支持状態の前記頭部と接触する部分は、柔軟素材を含んで構成される
請求項１〜２１のいずれか一項に記載の睡眠支援システム。
【請求項２３】
前記睡眠支援システムは更に、前記所定支持状態における前記ユーザの手で握ることができるように前記頭部支持部に接続されたグリップ部を備える
請求項１〜２２のいずれか一項に記載の睡眠支援システム。
【発明の詳細な説明】
【技術分野】
【０００１】
本発明は、仮眠（短時間の睡眠）を支援する睡眠支援システムに関する。
【背景技術】
【０００２】
従来、光刺激を与えて人を睡眠から快適に目覚めさせる技術が知られている。例えば、特許文献１には、ユーザの頭部を収容する内部空間を有して、時刻手段で設定された起床時間に、頭部を囲むバイザーの内周面に光を照射する目覚まし照明装置が記載されている。この目覚まし照明装置は、寝返りがあっても光を頭部に照射できるようにすべく、頭部全体を光の照射が可能な内部空間に収容する。また、従来、座位かつ机上にうつ伏せの姿勢において仮眠をとるための枕が知られている（例えば、特許文献２参照）。
【先行技術文献】
【特許文献】
【０００３】
【特許文献１】特開２０１５−１８７９８６号公報
【特許文献２】特開２００８−２２９２９４号公報
【発明の概要】
【発明が解決しようとする課題】
【０００４】
特許文献１の目覚まし照明装置を用いて睡眠をとるためにはユーザは時刻を設定して頭部全体をその装置の内部空間に入れるように横たわる必要があり、デスクワークの合間等における仮眠（短時間の睡眠）においては、あまり便利ではない。
【０００５】
そこで、本発明は、座位かつ机上にうつ伏せの姿勢での仮眠時におけるユーザの利便性に鑑みてなされたものであり、仮眠を支援し、光刺激により人を仮眠から快適に目覚めさせることに適した睡眠支援システムを提供することを目的とする。
【課題を解決するための手段】
【０００６】
本発明の一態様に係る睡眠支援システムは、ユーザの頭部を支持する頭部支持部と、前記頭部支持部により前記頭部を所定姿勢に支持する所定支持状態が生じたか否かを検知するセンサと、光源を有し、前記センサにより前記所定支持状態が生じたことが検知されてから所定時間が経過した際に、前記所定支持状態における前記ユーザの視界内への照明を行う照明部とを備える。
【発明の効果】
【０００７】
本発明の一態様に係る睡眠支援システムによれば、ユーザが短時間の睡眠を快適に行うことが可能となり得る。
【図面の簡単な説明】
【０００８】
【図１】実施の形態１に係る睡眠支援システムの外観の一例を示す図である。
【図２】実施の形態１に係る睡眠支援システムの使用例を示す図である。
【図３】実施の形態１に係る睡眠支援システムの概略構成図である。
【図４】実施の形態１に係る睡眠支援システムの動作例（照明制御処理）を示すフローチャートである。
【図５】実施の形態１の変形例に係る睡眠支援システムの概略構成図である。
【図６】実施の形態２に係る睡眠支援システムの概略構成図である。
【図７】実施の形態２に係る睡眠支援システムの動作例を示すフローチャートである。
【図８】実施の形態３に係る睡眠支援システムの概略構成図である。
【図９】他の実施の形態に係る睡眠支援システムの一例を示す平面図である。
【発明を実施するための形態】
【０００９】
以下、実施の形態について、図面を参照しながら説明する。ここで示す実施の形態は、いずれも本発明の一具体例を示すものである。従って、以下の実施の形態で示される数値、形状、材料、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１０】
（実施の形態１）
以下、本発明の一実施形態に係る睡眠支援システムについて説明する。
【００１１】
（構成）
図１は、本実施の形態に係る睡眠支援システム１００の外観の一例を示す図である。睡眠支援システム１００は、ユーザが座位かつ机上にうつ伏せの姿勢で仮眠する際に用いられる枕に、仮眠を支援し、光刺激により人を仮眠から快適に目覚めさせるための電気回路が付加されたものである。図１に示す外観例では、睡眠支援システム１００における電気回路は、枕としての頭部支持部１１０の内側に隠れている。図２に、睡眠支援システム１００の使用例を示す。睡眠支援システム１００は、机２１の水平面上に置いてユーザ１０の仮眠に利用される。ユーザ１０は仮眠をとる場合には、例えば椅子に座り、机２１の上に睡眠支援システム１００を置いて、頭部１１を、例えば所定姿勢にして枕としての頭部支持部１１０に載せる。この所定姿勢は、ユーザの鼻を頭部１１の中心（重心）から鉛直下方（重力方向）に向けた姿勢（うつ向き）である。
【００１２】
頭部支持部１１０は、ユーザ１０の頭部１１が載置された場合に頭部１１を支持する枕である。ここでは、頭部支持部１１０が頭部１１を所定姿勢に支持した状態を「所定支持状態」と称する。頭部支持部１１０は、例えばクッションで構成される。具体例としては、頭部支持部１１０における所定支持状態の頭部１１と接触する部分（接触する表面或いはその下の数センチメートル程度までの深さの部分）は、柔軟素材を含んで構成される。柔軟素材としては、ポリウレタン、ポリエチレン、ポリプロピレン、ゴム、スポンジ、綿等が挙げられる。
【００１３】
頭部支持部１１０は、例えば所定支持状態において頭部１１の鼻及び目の鉛直下方に空隙を設ける孔部又は凹部（図１の例では凹部１０１）を有し、その孔部又は凹部の周りを囲み所定支持状態において頭部１１の鼻及び目の周りの領域に当接する環部（図１で凹部１０１以外の部分）を有する。なお、頭部支持部１１０が中央に孔部を有する場合には、頭部支持部１１０の形状は概ねドーナツ状となる。図１の例では頭部支持部１１０の中央に凹部１０１があり、ユーザ１０の頭部１１が所定支持状態で載置された場合に凹部１０１に頭部１１における鼻が収まり頭部１１が安定する。また、所定支持状態ではユーザ１０の視界が凹部１０１内に限定されるので、外界の光が遮断され、睡眠を妨げない。
【００１４】
図３は、睡眠支援システム１００の概略構成図である。睡眠支援システム１００は、上述した頭部支持部１１０の他に、電気回路としての接触センサ１２０、照明部１３０、制御部１４０及び電源部１５０を含んで構成される。同図には、所定支持状態における頭部１１を付記しており、頭部１１は、頭部支持部１１０の凹部１０１による空隙に臨む目１１ａ、鼻１１ｂを含んでいる。
【００１５】
接触センサ１２０は、頭部支持部１１０によりユーザ１０の頭部１１を所定姿勢に支持する所定支持状態が生じたか否かを検知するために用いられるセンサである。接触センサ１２０は、例えば、頭部１１の接触により押圧されているか否かを区別する圧力センサ、押圧で作動するスイッチ、人体の接触を検知できる静電容量スイッチ等である。接触センサ１２０は、頭部支持部１１０における所定支持状態で頭部１１と接触する位置に付着し、頭部１１と接触したか否かを検知し、接触した場合に所定支持状態が生じたと検知する。接触センサ１２０は検知結果を制御部１４０に伝達する。
【００１６】
照明部１３０は、光源１３１を含み、制御部１４０による制御を受けて光源１３１の点灯状態を変化させ得る。照明部１３０は、例えば調光度等を変化させ得る。
【００１７】
照明部１３０は、接触センサ１２０により所定支持状態が生じたことが検知されてから所定時間が経過した際に、制御部１４０の制御を受けて、所定支持状態におけるユーザ１０の視界内への照明を行う。光源１３１は、例えばＬＥＤ（Light Emitting Diode）等の１つ又は複数の光源の集合である。照明部１３０は、所定支持状態においてユーザ１０の目１１ａの鉛直下方に目１１ａと空隙を隔てて対向する位置であって頭部支持部１１０の環部に囲まれた位置に配置されている。
【００１８】
制御部１４０は、照明部１３０等を制御する機能を有するコンピュータ（マイコン等）であり、計時部１４１、入力部１４２、メモリ１４３及びＣＰＵ（Central Processing Unit）１４４を備える。制御部１４０は、頭部支持部１１０の内側等いかなる部分に配置されてもよい。
【００１９】
計時部１４１は、カウンタ、タイマー等の計時機構である。
【００２０】
入力部１４２は、ユーザ１０による入力を受け付けるユーザインタフェースであり、スイッチ、タッチパネル、或いは、音声認識技術を用いた音声入力インタフェース等のいかなる入力手段で構成されてもよい。なお、入力部１４２を、有線通信又は無線通信のための通信インタフェースで構成することで、ユーザインタフェースを備える外部のリモートコントローラ或いはスマートフォン等からの信号を受信することで、入力を受け付けることとしてもよい。また、入力部１４２をＵＳＢ（Universal Serial Bus）ポート等の入出力インタフェースで構成してもよい。例えば予め定められたフォーマットでデータを記憶させたＵＳＢメモリ等の記憶媒体がその入出力インタフェースに装着された場合にその記憶媒体からデータを読み出すことでそのデータの入力を受け付けることとしてもよい。
【００２１】
入力部１４２は、制御部１４０が照明部１３０の照明制御のために用いる時間に関する情報等を取得するための機能面での構成要素として、睡眠時間取得部１４２ａ、照明継続時間取得部１４２ｂ、及び、消灯制御時間取得部１４２ｃを含む。
【００２２】
睡眠時間取得部１４２ａは、ユーザ１０により入力される所定時間（睡眠時間）を取得する。この所定時間は、ユーザ１０が睡眠支援システム１００を用いて睡眠する場合の睡眠時間である。例えば、ユーザ１０が睡眠開始から３０分経過後に照明の光刺激により目覚めたい場合には、睡眠時間として３０分を入力する。
【００２３】
照明継続時間取得部１４２ｂは、ユーザ１０により入力される照明についての継続時間を取得する。消灯制御時間取得部１４２ｃは、ユーザ１０により入力される消灯制御時間を取得する。継続時間及び消灯制御時間については後述する。
【００２４】
メモリ１４３は、プログラム及びデータを予め保持しているＲＯＭ（Read Only Memory）、プログラムの実行に際してデータ等の記憶に利用するためのＲＡＭ（Random Access Memory）等である。メモリ１４３は、例えば不揮発性メモリを含んでいてもよい。メモリ１４３には、例えば入力部１４２により取得された睡眠時間、継続時間、消灯制御時間が格納され得る。
【００２５】
ＣＰＵ１４４は、メモリに格納されたプログラムを実行することにより接触センサ１２０の検知結果に応じて照明部１３０を制御する照明制御処理等といった各種処理を行う。
【００２６】
電源部１５０は、照明部１３０及び制御部１４０に電力を供給する回路であり、例えば電池を含む。電池は、乾電池、充電池（二次電池）等、いずれであってもよい。電源部１５０は、電力系統（交流電源）からの給電を受けて直流に変換して照明部１３０及び制御部１４０に電力を供給する変換回路等であってもよい。また、睡眠支援システム１００は、電源部１５０を含まずに、頭部支持部１１０に付された照明部１３０及び制御部１４０に電力を供給する外部のＡＣアダプター等といった外部電源装置と接続可能であってもよい。
【００２７】
（動作）
以下、上述の構成を備える睡眠支援システム１００の動作例について、制御部１４０による照明部１３０の制御を中心に説明する。
【００２８】
図４は、睡眠支援システム１００の制御部１４０により実施される照明制御処理の一例を示すフローチャートである。照明制御処理は、メモリ１４３に格納されたプログラムをＣＰＵ１４４で実行することにより、実施される。以下、図４に即して照明制御処理を説明する。
【００２９】
電源部１５０を電源オンとした状態（電力を供給する状態）において、制御部１４０は、睡眠時間取得部１４２ａにより、入力された所定時間（睡眠時間）を取得して、睡眠時間をメモリ１４３に格納することで保持する（ステップＳ１）。制御部１４０は、照明継続時間取得部１４２ｂにより、入力された継続時間を取得して、継続時間をメモリ１４３に格納することで保持する（ステップＳ２）。また、制御部１４０は、消灯制御時間取得部１４２ｃにより、入力された消灯制御時間を取得して、消灯制御時間をメモリ１４３に格納することで保持する（ステップＳ３）。例えば、ユーザ１０によって、睡眠時間として３０分が入力され、継続時間として５分が入力され、消灯制御時間として３分が入力される。制御部１４０は、ステップＳ１〜Ｓ３の処理中において照明部１３０を点灯させてもよいし、消灯しておいてもよい。
【００３０】
ステップＳ３に続いて、制御部１４０は、照明部１３０を消灯状態（光源１３１が点灯していない状態）にするように制御する（ステップＳ４）。但し、ステップＳ４において、既に消灯状態であれば制御部１４０は、特に照明部１３０を制御しない。睡眠時間、継続時間或いは消灯制御時間の入力があった場合には（ステップＳ５）、制御部１４０は、その入力に応じて、メモリ１４３に格納している該当の時間を更新する（ステップＳ６）。
【００３１】
制御部１４０は、接触センサ１２０により接触が検知されるまでは（ステップＳ７）、ステップＳ５での時間入力の判断を繰り返す。
【００３２】
制御部１４０は、接触センサ１２０により接触が検知されたタイミングで（ステップＳ７）、つまり、頭部支持部１１０がユーザ１０の頭部１１を所定姿勢に支持する所定支持状態が生じたと検知された際に、照明部１３０を点灯状態にするように制御する（ステップＳ８）。これにより、頭部支持部１１０に頭部１１を載せた、所定支持状態におけるユーザ１０の視界内を照明する（照らす）ことになる。ステップＳ８での点灯状態は、例えば調光度を５０％にしたものである。ここで、調光度は、最大の明るさで点灯した状態（光源１３１の最大輝度で点灯した状態）が１００％となるように定めており、消灯状態が０％となるように定めている。
【００３３】
このとき、制御部１４０は、保持している睡眠時間を、タイマーに設定する等により計時部１４１で睡眠時間が経過するまでの計時を開始する（ステップＳ９）。そして更に制御部１４０は、保持している消灯制御時間を参照して、消灯制御時間に亘って消灯制御を行う（ステップＳ１０）。消灯制御は、ステップＳ１０で点灯状態にした照明部１３０の調光度を次第に減少させてゼロにする制御であり、例えば光源１３１の輝度を、最大輝度の半分から、消灯制御時間が経過するまでに亘って次第に減少させて、ゼロにする。なお、消灯制御において光源１３１の輝度を、最初の輝度から次第に減少させてゼロにすることは、最初の輝度から次に１回以上、前より小さくゼロより大きい輝度にして、最後に輝度ゼロ（消灯状態）にすることである。この消灯制御で、光源１３１の輝度は離散的に変化してもよいし、連続的に変化してもよい。この消灯制御によって、ユーザ１０の入眠が促進され得る。
【００３４】
次に制御部１４０は、接触センサ１２０による検知結果として、所定閾値（例えば１分等）を超える時間に亘る非接触を検知しているか否かを確認する（ステップＳ１１）。所定閾値を超える時間に亘る非接触が検知された場合には、所定時間（睡眠時間）の経過の際における照明を抑止するように睡眠時間の計時を中止してステップＳ４に戻る。即ち、ユーザ１０が仮眠を中止するために、頭部１１を頭部支持部１１０から離した際に制御部１４０は睡眠時間の計時等を中止して再び仮眠が開始されるのを待機する（ステップＳ４、Ｓ７）。ステップＳ１１で所定閾値を超える時間に亘る非接触が検知されていなければ制御部１４０は、計時部１４１によって、所定時間（睡眠時間）が経過したか否かの確認を繰り返す（ステップＳ１２）。
【００３５】
ステップＳ１２において睡眠時間が経過した場合には、制御部１４０は、保持している継続時間を、タイマーに設定する等により計時部１４１で継続時間が経過するまでの計時を開始する（ステップＳ１３）。このとき、制御部１４０は、照明部１３０の光源１３１の輝度の漸増制御を行う（ステップＳ１４）。制御部１４０は、照明部１３０における光源１３１の輝度の漸増制御として、光源１３１の輝度をゼロから次第に増加させて最大輝度にする。輝度をゼロから次第に増加させて最大輝度にすることは、最初に輝度ゼロ（消灯状態）とし、次に１回以上、前より大きく最大輝度より小さい輝度にして、最後に最大輝度にすることである。この漸増制御で、光源１３１の輝度は離散的に変化してもよいし、連続的に変化してもよい。この輝度の漸増制御により、朝に太陽が昇るときのように明るさが次第に強くなるので、ユーザ１０の目覚めが快適なものとなり得る。
【００３６】
次に、制御部１４０は、睡眠時間が経過して光源１３１を点灯させた後に、継続時間が経過したか否かの確認を繰り返す（ステップＳ１５）。継続時間が経過すると、一度の仮眠に係る制御処理を終えて、制御部１４０は再びステップＳ４に戻って照明部１３０を消灯状態にするように制御する。これにより、照明部１３０は、所定支持状態が生じたことが検知されてから所定時間（睡眠時間）の経過に際して照明を開始した後に、照明継続時間取得部１４２ｂにより取得された継続時間が経過するまで照明を継続し、その継続時間が経過した際に照明を終了（消灯）する。ステップＳ４〜Ｓ１５を繰り返すことで、ユーザ１０による複数回の仮眠に対応し得るが、ステップＳ１５で継続時間が経過した際に自動的に電源部１５０を電源オフとする制御等によって照明制御処理を終了してもよい。この場合において、睡眠時間、継続時間及び消灯制御時間を、例えば不揮発性のメモリに保持することとして、次回に電源オンにして照明制御処理を開始した場合においてステップＳ１〜Ｓ３での入力に係る処理を省略することとしてもよい。
【００３７】
（実施の形態１の変形例）
以下、睡眠支援システム１００の一部を変形してなる睡眠支援システム１００ａについて説明する。
【００３８】
図５に睡眠支援システム１００ａの概略構成を示す。睡眠支援システム１００ａは、中央に凹部を有する頭部支持部１１０の代わりに中央に孔部を有するドーナツ状（環状）の枕である頭部支持部１１０ａを備え、睡眠支援システム１００と同様に接触センサ１２０、照明部１３０、制御部１４０、及び、電源部１５０を備える。但し、照明部１３０は、頭部支持部１１０ａの孔部（ドーナツの穴）に収められ、頭部支持部１１０ａの環部（孔部の周囲を囲む部分）と連結部材１６０で接続されている。
【００３９】
連結部材１６０は、樹脂、繊維等のいかなる部材でもよく、照明部１３０を、所定支持状態においてユーザ１０の目１１ａの鉛直下方に目１１ａと空隙を隔てて対向する位置であって頭部支持部１１０ａの環部に囲まれた位置に繋ぎ留めるものであればよい。なお、照明部１３０、制御部１４０及び電源部１５０のそれぞれの間の電気配線は、例えば、連結部材１６０の内部に配置される。ここで特に示さない点については、睡眠支援システム１００ａは睡眠支援システム１００と同様である。
【００４０】
（実施の形態２）
以下、実施の形態１で示した睡眠支援システム１００の一部を変形してなる睡眠支援システム１００ｂについて説明する。睡眠支援システム１００ｂは、人の感覚に作用してリラックスさせる等の効果を発揮する可能性のあるアロマ（芳香）を発生する機能を有する。
【００４１】
（構成）
図６は、睡眠支援システム１００ｂの概略構成図である。同図に示すように、睡眠支援システム１００ｂは、頭部支持部１１０の他に、電気回路としての接触センサ１２０、照明部１３０、制御部１４０、電源部１５０及びアロマ発生部１７０を含んで構成される。図６には、所定支持状態における頭部１１を付記している。図６では、実施の形態１で示した構成要素（図３参照）と同一の構成要素には同じ符号を付しており、これらについては説明を省略する。ここで特に示さない点については、睡眠支援システム１００ｂは睡眠支援システム１００と同様である。
【００４２】
アロマ発生部１７０は、香りを発する精油を発散させる装置（アロマディフューザー等）であり、例えば精油を超音波振動等により霧状にして発散する状態と振動させずに発散を抑制した状態とを切り替える制御が可能なように構成される。アロマ発生部１７０は、精油を霧状にした状態では例えば送風等により拡散させてもよい。アロマ発生部１７０が香りを拡散させる方式には、超音波方式の他、いかなる方式を用いてもよい。制御部１４０は、アロマ発生部１７０を制御して、香りを発生させるか発生させないかを切り替え得る。
【００４３】
（動作）
以下、睡眠支援システム１００ｂの動作例について説明する。
【００４４】
図７は、睡眠支援システム１００ｂの制御部１４０により実施される照明制御処理の一例を示すフローチャートである。この照明制御処理では、照明の制御のみならず香りの発生の制御も行われる。図７の照明制御処理において、実施の形態１で示した照明制御処理（図４参照）と同様のステップ（処理手順）には、同じ符号を付しており、これらについては適宜説明を省略する。
【００４５】
睡眠支援システム１００ｂの制御部１４０は、接触センサ１２０により接触が検知されたタイミングで（ステップＳ７）、つまり、頭部支持部１１０がユーザ１０の頭部１１を所定姿勢に支持する所定支持状態が生じたと検知された際に照明部１３０を点灯状態にする（ステップＳ８）。
【００４６】
このとき、制御部１４０は、睡眠時間が経過するまでの計時を開始し（ステップＳ９）、更に、アロマ発生部１７０を制御して香りを発生させる（ステップＳ９ａ）。即ち、制御部１４０の制御下において、アロマ発生部１７０は、所定支持状態が生じたことが検知された際に香りを発生するように制御される。なお、香りの発生は一定時間（例えば１分間等）、継続的に行われてもよい。ユーザ１０が、香りの元となる精油として、入眠を促進し得る芳香を用いることが想定されており、これにより、ステップＳ９ａにおける香りの発生の効果としてユーザ１０の入眠が促進され得る。
【００４７】
（実施の形態３）
以下、実施の形態１における変形例として示した睡眠支援システム１００ａの一部を変形してなる睡眠支援システム１００ｃについて説明する。睡眠支援システム１００ｃは、睡眠時間の経過の際に送風を行うことでユーザ１０を快適に目覚めさせ得る送風機能を有する。
【００４８】
図８は、睡眠支援システム１００ｃの概略構成図である。同図に示すように、睡眠支援システム１００ｃは、頭部支持部１１０ａの他に、電気回路としての接触センサ１２０、照明部１３０、制御部１４０ａ、電源部１５０及び送風部１８０を含んで構成される。図８には、所定支持状態における頭部１１を付記している。図８では、実施の形態１及びその変形例で示した構成要素（図３、図５参照）と同一の構成要素には同じ符号を付しており、これらについては説明を省略する。ここで特に示さない点については、睡眠支援システム１００ｃは睡眠支援システム１００ａと同様である。
【００４９】
送風部１８０は、送風するためのファン１８１及び送風される空気を加熱するヒーター１８２を備え、ヒーター１８２で温めた空気による温風をファン１８１の回転により送風する。ヒーター１８２は、例えば３０℃程度まで送風される空気を温め得る電気ヒーターである。送風部１８０は、所定支持状態における頭部１１に向けて送風が可能な位置に配置され、例えば、図８に示すようにドーナツ状の頭部支持部１１０ａにおける孔部に配置される。
【００５０】
制御部１４０ａは、実施の形態１で示した制御部１４０を一部変形したものであり、照明部１３０、送風部１８０等を制御する機能を有するコンピュータであり、図８に示すように、計時部１４１、入力部１４２０、メモリ１４３及びＣＰＵ１４４を備える。制御部１４０ａは、頭部支持部１１０ａの内側等いかなる部分に配置されてもよい。
【００５１】
入力部１４２０は、実施の形態１で示した入力部１４２の機能面の構成要素としての睡眠時間取得部１４２ａ、照明継続時間取得部１４２ｂ、及び、消灯制御時間取得部１４２ｃに加えて、送風継続時間取得部１４２ｄ、及び、送風温度取得部１４２ｅを含む。
【００５２】
送風継続時間取得部１４２ｄは、ユーザ１０により入力される、送風部１８０による送風についての送風継続時間を取得する。送風継続時間は、睡眠時間が経過した後において送風部１８０で送風を継続する時間である。入力される送風継続時間は、例えば３分等が想定される。送風温度取得部１４２ｅは、ユーザ１０により入力される、送風部１８０による送風についての送風温度を取得する。送風温度は、睡眠時間が経過した後において送風部１８０で送風する温風の温度である。入力される送風温度は、例えば２５℃等が想定されるが、必ずしも１℃単位等で入力される必要はなく、ヒーター１８２での発熱量の程度を、例えば、発熱なし、少量、多量等といった区分で指定するものであってもよい。メモリ１４３は、入力部１４２０により取得された睡眠時間、継続時間、消灯制御時間、送風継続時間、送風温度が格納され得る。
【００５３】
制御部１４０ａの制御下で送風部１８０はファン１８１及びヒーター１８２を制御する。送風部１８０は、所定支持状態が生じたことが検知されてから所定時間（睡眠時間）が経過した際に、取得された送風温度に応じてヒーター１８２を制御し、取得された送風継続時間に亘ってファン１８１を回転させて送風を行う。即ち、送風部１８０は、睡眠時間の経過に際して送風を開始した後に、送風継続時間取得部１４２ｄにより取得された送風継続時間が経過するまで送風を継続し、その送風継続時間が経過した際にファン１８１による送風を終了する。これにより、睡眠時間が経過してから、所定支持状態におけるユーザ１０の頭部１１に、入力された送風温度となった空気が送風される。このため、ユーザ１０が心地よく目覚めることができる可能性がある。
【００５４】
（他の実施の形態等）
以上、実施の形態１〜３により睡眠支援システム１００、１００ａ、１００ｂ、１００ｃについて説明したが、上述した実施の形態は一例に過ぎず、各種の変更、付加、省略等が可能であることは言うまでもない。
【００５５】
上述の実施の形態では、特に取っ手（グリップ）のない枕としての頭部支持部１１０ａを示したが、頭部支持部にはユーザ１０が握ることのできるグリップが付されていてもよい。図９にグリップが付された頭部支持部１１０ｂを示す。頭部支持部１１０ｂは、頭部支持部１１０ａ（図５参照）に２つのグリップ部１１１ａ及びグリップ部１１１ｂが付加（接続）されたものである。グリップ部１１１ａ、１１１ｂの配置、形状、材料等は、所定支持状態においてユーザ１０が握ることのできるものであれば、いかなるものであってもよい。このグリップ部１１１ａ、１１１ｂによりユーザ１０が安定した姿勢で眠ることが可能となり得る。
【００５６】
また、上記実施の形態では、照明部１３０は、所定支持状態が生じたことが検知されて所定時間（睡眠時間）が経過した後に照明を行って、照明継続時間取得部１４２ｂで取得された継続時間が経過してから照明を消灯する例を示したが（図４参照）、これは一例に過ぎず、継続時間に係る制御を行わなくてもよい。例えば、照明部１３０は、所定支持状態が生じたことが検知されてから睡眠時間が経過した後において、所定支持状態が生じていないと検知された場合には光源１３１を消灯状態にすることで照明を終了することとしてもよい。これにより、睡眠時間経過後の照明によってユーザ１０が目覚めて、頭部１１を頭部支持部１１０から離した際に、光源１３１は消灯される。
【００５７】
また、上記実施の形態では、照明部１３０は、所定支持状態が生じたことが検知されて所定時間（睡眠時間）が経過した後に照明の光源の輝度の漸増制御（ステップＳ１４）を行うこととしたが、これは一例に過ぎず、輝度の漸増制御を省略してもよく、一定の輝度で照明を行ってもよい。例えば、ユーザ１０を覚醒させるために有用な方法の１つとして、照明部１３０は、所定支持状態が生じたことが検知されてから睡眠時間が経過した際に１分以上連続して、２千ルクス（ｌｕｘ）以上の照度となるように照明を行うこととしてもよい。また、制御部１４０の機能構成として調光情報取得部を設けて、ユーザ１０に入力される、照明部１３０による照明に係る調光度を示す調光情報を取得することとしてもよい。そして、照明部１３０が、睡眠時間の経過の際にその調光情報に基づいて、調光情報が示す調光度となるように、照明を行うこととしてもよい。なお、調光情報は、例えば時間軸と対応付けて複数の調光度を示すものであってもよく、この場合には、照明部１３０は、調光情報に基づいて、睡眠時間の経過後における時間経過に応じて調光度を変化させることが可能となる。また、上記実施の形態で示した消灯制御（ステップＳ１０）も省略可能である。
【００５８】
また、上記実施の形態で示した各電気回路等は分離していても一体化していてもよく、例えば照明部１３０は、制御部１４０を包含していてもよい。
【００５９】
また、上記実施の形態では、照明継続時間取得部１４２ｂ、消灯制御時間取得部１４２ｃ、送風継続時間取得部１４２ｄ、送風温度取得部１４２ｅによりユーザ１０により入力される情報（時間、温度等）を取得することとしたが、これらの情報を予め定めておき、入力を不要にしてもよい。また、ユーザ１０の睡眠時間（所定時間）についても、ユーザ１０が入力して睡眠時間取得部１４２ａが取得する他に、初期値が予め３０分等と設定されていてもよい。
【００６０】
また、上記実施の形態で示した接触センサ１２０は、ユーザ１０が頭部１１を頭部支持部１１０に載せて所定支持状態になったか否かを検知するものであれば他のセンサであってもよく、例えば照度センサ等が利用可能である。照度センサにより周囲の明るさが所定の閾値より暗くなったことを検知することで、所定支持状態になったことが検知可能となる。なお、センサは、所定支持状態になっていることを確実に検知するものである必要はない。例えば接触センサは、接触したものが頭部であるか指等であるかを区別できなくてもよく、接触したものが頭部と推定することで所定支持状態になっていると推定的に検知するもの（つまり何かが接触した場合に所定支持状態が生じたと検知するもの）であってもよい。
【００６１】
また、上記実施の形態では、睡眠支援システムにおいて、所定支持状態が生じたことが検知されて所定時間（睡眠時間）が経過した後に、ユーザ１０を目覚めさせるために照明を行い、また、更に送風を行う例を示した。この他に、ユーザ１０の覚醒を支援する構成として、睡眠支援システムに、振動部を加えてもよい。振動部は、所定支持状態が生じたことが検知されてから所定時間（睡眠時間）が経過した際に、頭部支持部を揺らすように振動する。振動部による振動は、例えば振動モータ等で実現される。更に睡眠支援システムに、ユーザ１０に入力される、振動部による振動についての振動時間を取得する振動時間取得部を設けてもよい。そして、振動部が、睡眠時間の経過に際して振動を開始した後に、振動時間取得部により取得された振動時間が経過するまで振動を継続し、振動時間が経過した際に振動を終了することとしてもよい。また、ユーザ１０の覚醒を支援する構成として、睡眠支援システムに、音発生部を加えてもよい。音発生部は、所定支持状態が生じたことが検知されてから所定時間（睡眠時間）が経過した際に音を発生する。音発生部による音の発生は、例えば、スピーカ等からアラーム音或いは音声メッセージ等を出力してもよいし、ブザーの鳴動等で音を発してもよい。更に睡眠支援システムに、ユーザ１０に入力される、音発生部による音の発生についての音継続時間を取得する音継続時間取得部を設けてもよい。そして、音発生部が、睡眠時間の経過に際して音の発生を開始した後に、音継続時間取得部により取得された音継続時間が経過するまで音の発生を継続し、音継続時間が経過した際に音の発生を終了することとしてもよい。
【００６２】
また、上記実施の形態では、照明部１３０は、所定支持状態におけるユーザ１０の頭部１１内の目と対向する位置に配置される例（図３、図５等参照）を示したが、光源１３１を含む照明部１３０は、目と対向する位置でなくてもユーザ１０の視界内への照明を行うことが可能な位置に配置されてもよい。但し、照明部１３０が所定支持状態における頭部１１内の目の鉛直下方にその目と空隙を隔てて対向する位置に配置されていることは効率的に光刺激をユーザ１０に与えるために有用である。
【００６３】
また、上述の実施の形態で示した制御部１４０における照明制御処理の手順（図４、図７参照）の実行順序は、必ずしも、上述した通りの順序に制限されるものではなく、発明の要旨を逸脱しない範囲で、実行順序を入れ替えたりその一部を省略したりすることができる。また、上述の照明制御処理の全部又は一部は、制御部１４０のハードウェア（電気回路等）により実現されても、更にソフトウェアを用いて実現されてもよい。なお、ソフトウェアによる処理は、ＣＰＵ１４４がメモリ１４３に記憶されたプログラムを実行することにより実現されるものである。また、そのプログラムを記録媒体に記録して頒布や流通させてもよい。例えば、頒布されたプログラムを睡眠支援システムにおけるコンピュータ（マイコン等）にインストールして、ＣＰＵに実行させることで、コンピュータに照明制御処理の全部又は一部を行わせることが可能となる。
【００６４】
また、上述した実施の形態等で示した構成要素及び機能を任意に組み合わせることで実現される形態も本発明の範囲に含まれる。
【００６５】
なお、本発明の包括的又は具体的な各種態様には、装置、システム、方法、集積回路、コンピュータプログラム、コンピュータで読み取り可能な記録媒体等の１つ又は複数の組み合わせが含まれる。
【００６６】
以下、本発明の一態様に係る睡眠支援システムの構成、変形態様、効果等について示す。
【００６７】
（１）本発明の一態様に係る睡眠支援システム（例えば睡眠支援システム１００、１００ａ、１００ｂ、１００ｃ）は、ユーザ１０の頭部１１を支持する頭部支持部（例えば頭部支持部１１０、１１０ａ、１１０ｂ）と、頭部支持部によりユーザ１０の頭部１１を所定姿勢に支持する所定支持状態が生じたか否かを検知するセンサ（例えば接触センサ１２０）と、光源１３１を有し、そのセンサにより所定支持状態が生じたことが検知されてから所定時間（睡眠時間）が経過した際に、所定支持状態におけるユーザ１０の視界内への照明を行う照明部１３０とを備える。
【００６８】
この構成により、頭部支持部でユーザ１０の頭部１１を支えてから睡眠時間が経過すると照明の光刺激でユーザ１０を快適に目覚めさせ得る。ユーザ１０にとっては、頭部支持部に頭部１１を載せてうつ伏せで眠れば睡眠時間の経過後に照明により目覚めることができるようになるので、便利である。このため、この睡眠支援システムは、ユーザ１０が座位かつ机上にうつ伏せの姿勢で仮眠をとることを支援するために有用である。なお、主として照明によりユーザ１０を目覚めさせる睡眠支援システムは、大きな音により目覚めさせる従来の目覚まし時計等と比べて周囲の人に及ぼす影響が少ない。従って、この睡眠支援システムは、例えば学校、職場等の人が集まった場所においてデスクワークの合間等に仮眠をとるために有用である。
【００６９】
（２）例えば、上述のセンサは、頭部支持部における所定支持状態で頭部１１と接触する位置に付着し、頭部１１と接触したか否かを検知する接触センサ１２０であり、頭部１１が接触した場合に所定支持状態が生じたと検知することとしてもよい。
【００７０】
これにより、睡眠支援システムは、比較的簡易な構成で睡眠時間の計時開始タイミングを得ることが可能となる。
【００７１】
（３）例えば、所定姿勢は、ユーザ１０の鼻を頭部１１の中心から鉛直下方に向けた姿勢であり、頭部支持部は、所定支持状態において頭部１１の鼻及び目の鉛直下方に空隙を設ける孔部又は凹部（例えば凹部１０１）を有し、その孔部又は凹部の周りを囲み所定支持状態において頭部１１の鼻及び目の周りの領域に当接する環部（例えば頭部支持部１１０における凹部１０１以外の部分）を有することとしてもよい。なお、環部は、孔部又は凹部の周りを囲むものであればよく、例えば閉じた環状のもの（円環、角環等）であっても、概ね環状で環の一部が切れているもの（Ｃ字型等）であってもよい。
【００７２】
これにより、所定支持状態において、頭部支持部の孔部又は凹部にユーザ１０の頭部１１における鼻が収まり頭部１１が安定し、ユーザ１０の視界が孔部内又は凹部内に限定されるので、外界の光が遮断され、睡眠を妨げない。
【００７３】
（４）例えば、照明部１３０は所定支持状態においてユーザ１０の頭部１１における目の鉛直下方にその目と空隙を隔てて対向する位置であって頭部支持部の環部に囲まれた位置に配置されていることとしてもよい。
【００７４】
これにより、睡眠時間が経過した際に照明部１３０は効率的に光刺激をユーザ１０に与えることができる。このため、例えば、光刺激をユーザ１０に与えるために頭部１１の周囲を多数の光源で囲む必要がなく、光をユーザ１０の方に導くための導光路等を設ける必要がない。
【００７５】
（５）例えば、睡眠支援システムは更に、入力される所定時間（睡眠時間）を取得する睡眠時間取得部１４２ａを備え、照明部１３０は、睡眠時間取得部１４２ａで取得された所定時間が、所定支持状態が生じたことが検知されてから経過した際に、照明を行うこととしてもよい。
【００７６】
これにより、ユーザ１０は睡眠支援システムに対して任意の所定時間（睡眠時間）を指定することが可能となる。
【００７７】
（６）例えば、照明部１３０は、所定支持状態が生じたことが検知されてから所定時間（睡眠時間）が経過するまでの間において、所定支持状態が生じていないと検知された連続時間の長さが所定閾値（例えば１分等）を超えた場合にはその所定時間の経過の際における照明を抑止することとしてもよい。
【００７８】
これにより、ユーザ１０は仮眠を中止したい場合に、頭部１１を頭部支持部から所定閾値（例えば１分等）を超える時間だけ離せば、睡眠時間経過の際の目覚ましのための照明をキャンセルできる。なお、ユーザ１０は、再度仮眠したい場合には、再び頭部１１を頭部支持部に載せて所定支持状態になればよく、これにより、所定支持状態が検知されて、新たに所定時間（睡眠時間）の経過の際に、ユーザ１０は目覚ましのための照明を受けることができる。
【００７９】
（７）例えば、睡眠支援システムは更に、入力される、照明についての継続時間を取得する照明継続時間取得部１４２ｂを備え、照明部１３０は、所定支持状態が生じたことが検知されてから所定時間（睡眠時間）の経過に際して照明を開始した後に、照明継続時間取得部１４２ｂにより取得された継続時間が経過するまで照明を継続し、その継続時間が経過した際に照明を終了することとしてもよい。
【００８０】
これにより、ユーザ１０は睡眠支援システムに対して、ユーザ１０の目覚めに必要な程度に、照明の継続時間を指定することが可能となる。
【００８１】
（８）例えば、照明部１３０は、所定支持状態が生じたことが検知されてから所定時間（睡眠時間）が経過した際に、光源１３１の輝度をゼロから次第に増加させて最大輝度にすることで照明を行うこととしてもよい。
【００８２】
これにより、朝のように徐々に明るくなるので、ユーザ１０の目覚めが自然で快適なものとなり得る。
【００８３】
（９）例えば、照明部１３０は、所定支持状態が生じたことが検知されてから所定時間（睡眠時間）が経過した際に１分以上連続して、２千ルクス（ｌｕｘ）以上の照度となるように照明を行うこととしてもよい。
【００８４】
これにより、比較的強い光刺激によって、所定時間の経過の際にユーザ１０がより確実に目覚められるようになり得る。
【００８５】
（１０）例えば、照明部１３０は、所定支持状態が生じたことが検知されてから所定時間（睡眠時間）が経過した後において、所定支持状態が生じていないと検知された場合には光源１３１を消灯状態にすることで照明を終了することとしてもよい。
【００８６】
これにより、ユーザ１０が目覚めた後には照明に要するエネルギーの消費を抑えることが可能となる。
【００８７】
（１１）例えば、睡眠支援システムは更に、照明部１３０による照明に係る調光度を示す、入力される調光情報を取得する調光情報取得部を備え、照明部１３０は、所定支持状態が生じたことが検知されてから所定時間が経過した際に、調光情報に基づいて照明を行うこととしてもよい。
【００８８】
これにより、ユーザ１０は睡眠支援システムに対して、目覚ましのための照明の明るさを指定することが可能となる。
【００８９】
（１２）例えば、照明部１３０は、所定支持状態が生じたことが検知された際に、所定支持状態におけるユーザ１０の視界内を照明してから光源１３１の輝度を次第に減少させてゼロにする消灯制御を行うこととしてもよい。
【００９０】
これにより、徐々に暗くなるのでユーザ１０の入眠が促進され得る。
【００９１】
（１３）例えば、睡眠支援システムは更に、消灯制御についての、入力される消灯制御時間を取得する消灯制御時間取得部１４２ｃを備え、照明部１３０は、消灯制御時間取得部１４２ｃにより取得された消灯制御時間に亘って消灯制御を行うこととしてもよい。
【００９２】
これにより、ユーザ１０は睡眠支援システムに対して、ユーザ１０の入眠に適するように消灯制御の時間を指定することが可能となる。
【００９３】
（１４）例えば、睡眠支援システムは更に、所定支持状態が生じたことが検知された際に香りを発生するアロマ発生部１７０を備えることとしてもよい。
【００９４】
これにより、ユーザ１０は、例えば自らの入眠に適した香りを選んでその香りをアロマ発生部１７０で発生させるようにすることで、睡眠支援システムによって快適に入眠し得るようになる。
【００９５】
（１５）例えば、睡眠支援システムは更に、所定支持状態が生じたことが検知されてから所定時間（睡眠時間）が経過した際に、所定支持状態におけるユーザ１０の頭部１１に向けて送風する送風部１８０を備えることとしてもよい。
【００９６】
これにより、ユーザ１０は、光のみならず風を受けることで、より確実に目覚められるようになり得る。
【００９７】
（１６）例えば、睡眠支援システムは更に、入力される送風部１８０による送風についての送風継続時間を取得する送風継続時間取得部１４２ｄを備え、送風部１８０は、所定支持状態が生じたことが検知されてから所定時間（睡眠時間）の経過に際して送風を開始した後に、送風継続時間取得部１４２ｄにより取得された送風継続時間が経過するまで送風を継続し、その送風継続時間が経過した際に送風を終了することとしてもよい。
【００９８】
これにより、ユーザ１０は睡眠支援システムに対して、送風継続時間を指定することが可能となる。
【００９９】
（１７）例えば、睡眠支援システムは更に、入力される送風部１８０による送風についての送風温度を取得する送風温度取得部１４２ｅを備え、送風部１８０は、送風される空気を加熱するヒーター１８２を有し、送風温度取得部１４２ｅにより取得された送風温度となった空気が送風されるようにヒーター１８２を制御することとしてもよい。
【０１００】
これにより、温風により快適に目覚められるようなユーザに対応し得る。
【０１０１】
（１８）例えば、睡眠支援システムは更に、所定支持状態が生じたことが検知されてから所定時間（睡眠時間）が経過した際に頭部支持部を揺らすように振動する振動部を備えることとしてもよい。
【０１０２】
これにより、ユーザ１０は、光のみならず振動を受けることで、より確実に目覚められるようになり得る。
【０１０３】
（１９）例えば、睡眠支援システムは更に、入力される、振動部による振動についての振動時間を取得する振動時間取得部を備え、振動部は、所定支持状態が生じたことが検知されてから所定時間の経過に際して振動を開始した後に、振動時間取得部により取得された振動時間が経過するまで振動を継続し、その振動時間が経過した際に振動を終了することとしてもよい。
【０１０４】
これにより、ユーザ１０は睡眠支援システムに対して、振動の継続する時間を指定することが可能となる。
【０１０５】
（２０）例えば、睡眠支援システムは更に、所定支持状態が生じたことが検知されてから所定時間（睡眠時間）が経過した際に音を発生する音発生部を備えることとしてもよい。
【０１０６】
これにより、ユーザ１０は、光のみならず音を受けることで、より確実に目覚められるようになり得る。
【０１０７】
（２１）例えば、睡眠支援システムは更に、入力される、音発生部による音の発生についての音継続時間を取得する音継続時間取得部を備え、音発生部は、所定支持状態が生じたことが検知されてから所定時間の経過に際して音の発生を開始した後に、音継続時間取得部により取得された音継続時間が経過するまで音の発生を継続し、その音継続時間が経過した際に音の発生を終了することとしてもよい。
【０１０８】
これにより、ユーザ１０は睡眠支援システムに対して、音の継続する時間を指定することが可能となる。
【０１０９】
（２２）例えば、頭部支持部における所定支持状態のユーザ１０の頭部１１と接触する部分は、柔軟素材を含んで構成されることとしてもよい。
【０１１０】
これにより、睡眠支援システムを利用する際におけるユーザ１０の頭部１１への衝撃等が緩和され得る。
【０１１１】
（２３）例えば、睡眠支援システムは更に、所定支持状態におけるユーザ１０の手で握ることができるように頭部支持部に接続されたグリップ部１１１ａ、１１１ｂを備えることとしてもよい。
【０１１２】
これにより、ユーザ１０が安定した姿勢で眠ることが可能となり得る。
【符号の説明】
【０１１３】
１００、１００ａ、１００ｂ、１００ｃ  睡眠支援システム
１０１  凹部
１１０、１１０ａ、１１０ｂ  頭部支持部
１１１ａ、１１１ｂ  グリップ部
１２０  接触センサ
１３０  照明部
１３１  光源
１４２ａ  睡眠時間取得部
１４２ｂ  照明継続時間取得部
１４２ｃ  消灯制御時間取得部
１４２ｄ  送風継続時間取得部
１４２ｅ  送風温度取得部
１７０  アロマ発生部
１８０  送風部
１８２  ヒーター
【図１】
2018038685.tif 000003
【図２】
2018038685.tif 000004
【図３】
2018038685.tif 000005
【図４】
2018038685.tif 000006
【図５】
2018038685.tif 000007
【図６】
2018038685.tif 000008
【図７】
2018038685.tif 000009
【図８】
2018038685.tif 000010
【図９】
2018038685.tif 000011